(57)【要約】【課題】  段差が出来ず、及びシール等の用紙をなくすことの出来る、重ねた用紙のうち一枚を反転させて使用する用紙を提供すること。【解決手段】  重ねた用紙のうち一枚を反転させて使用する用紙において、一枚の用紙（１）の下面（４）には地紋が印刷され、かつ剥離剤が塗布されていること、他方の用紙（２）の上面（５）には再接着可能な接着剤が塗布されていることからなる。  又、当該用紙の一方の所定の部分（８）は剥離不能になっていること、当該用紙の他方の所定の部分（１２）は上部と下部の二枚の用紙になっていること、当該上部の下面（１０）には地紋が印刷され、かつ剥離剤が塗布されていること、当該下部の上面（１５）には再接着可能な接着剤が塗布されていること、一方の所定の部分（９）と他方の所定の部分（１２）の間に切り込み（１１）が入っていることからなる。【選択図】  図２
2006327120.tif 000002
【特許請求の範囲】
【請求項１】
重ねた用紙のうち一枚を反転させて使用する用紙において、一方の用紙（１）の下面（４）には地紋が印刷され、かつ剥離剤が塗布されていること、他方の用紙（２）の上面（５）には再接着可能な接着剤が塗布されていることを特徴とする重ねた用紙のうち一枚を反転させて使用する用紙。
【請求項２】
重ねた用紙のうち一枚を反転させて使用する用紙において、当該用紙の一方の所定の部分（８）は剥離不能になっていること、当該用紙の他方の所定の部分（１２）は上部と下部の二枚の用紙になっていること、当該上部の下面（１０）には地紋が印刷され、かつ剥離剤が塗布されていること、当該下部の上面（１５）には再接着可能な接着剤が塗布されていること、一方の所定の部分（９）と他方の所定の部分（１２）の間に切り込み（１１）が入っていることを特徴とする重ねた用紙のうち一枚を反転させて使用する用紙。
【請求項３】
前記用紙がはがきであることを特徴とする請求項１又は２のいずれか１項に記載の重ねた用紙のうち一枚を反転させて使用する用紙。
【発明の詳細な説明】
【技術分野】
【０００１】
本発明は、重ねた用紙のうち一枚を反転させて使用する用紙に関する。
【背景技術】
【０００２】
従来、はがき等に個人の住所、氏名、電話番号、性別、年令等の個人情報等を記載して送付先に送付する場合、個人情報を送付先以外の第三者に見られないように当該個人情報を記載した欄に再接着可能な糊を塗布した用紙を接着したりすることが行われていた。
【０００３】
また、はがき本体に秘匿したい箇所を秘匿する秘匿シール部が設けられ、はがきの秘匿したい箇所を手間をかけずに簡単に秘匿することが出来る技術がある（例えば、特許文献１参照）。
【０００４】
また、広告用チラシ等に剥離可能に接着しているはがきを返送する場合、はがきの秘匿したい箇所を簡単に秘匿出来るようにしたはがき付き印刷物、及びはがきがある（例えば、特許文献２参照。）。
【０００５】
【特許文献１】登録実用新案第３１０８４２９号（［０００５］，［０００６］）
【特許文献２】登録実用新案第３１０８８０６号（［００１２］〜［００２８］）
【発明の開示】
【発明が解決しようとする課題】
【０００６】
前記の場合いずれもはがきに記載された個人の住所、氏名、電話番号等の個人情報、秘匿したい事項等を関係者以外の第三者にみられないようにするため、当該個人情報、秘匿したい事項等の上に用紙を接着するものである。
【０００７】
しかし、はがき本体に秘匿箇所を秘匿するためのシール等の用紙を接着した場合はがきに段差が出来たり、当該シール等の用紙を捨てなければならない事態が生じたりするという問題点があった。
【０００８】
そこで、本発明は、段差が出来ず、及びシール等の用紙をなくすことの出来る、重ねた用紙のうち一枚を反転させて使用する用紙を提供することを目的とする。
【課題を解決するための手段】
【０００９】
前記目的を達成するため、本発明の重ねた用紙のうち一枚を反転させて使用する用紙は、
重ねた用紙のうち一枚を反転させて使用する用紙において、一方の用紙の下面には地紋が印刷され、かつ剥離剤が塗布されていること、他方の用紙の上面には再接着可能な接着剤が塗布されていることからなる。
【００１０】
又、重ねた用紙のうち一枚を反転させて使用する用紙において、当該用紙の一方の所定の部分は剥離不能になっていること、当該用紙の他方の所定の部分は上部と下部の二枚の用紙になっていること、当該上部の下面には地紋が印刷され、かつ剥離剤が塗布されていること、当該下部の上面には再接着可能な接着剤が塗布されていること、一方の所定の部分と他方の所定の部分の間に切り込みが入っていることからなる。
【００１１】
さらに、前記用紙がはがきであることが好適である。
本発明の用紙は問題用紙の裏に解答用紙がある場合、又アンケート用紙の裏に当該アンケートの返答を記載する用紙がある場合等に使用することが出来るが、はがきの場合が最も適しているものである。
【発明の効果】
【００１２】
本発明は、重ねた用紙のうち一枚を反転させて使用するので、接着剤が塗布されている面をカバーする紙を必要とせずに接着剤が塗布されている面を隠すことが出来、かつ用紙（たとえば、はがき）の形状そのものにすることが出来るということ、及び用紙に段差が出来ず、紙、シール等を廃棄することがない等の効果を生じる。
【発明を実施するための最良の形態】
【００１３】
本発明の実施の形態の例を図面に基づいて説明する。
本発明の重ねた用紙のうち一枚を反転させて使用する用紙は前記の如くはがきが最適なのではがきについての実施の形態として説明する。
【００１４】
図１は、本発明の用紙、即ち、はがきの裏面を示す図であり、
図２は、本発明のはがきの裏面をめくり部からめくっていく状態を示す図である。
一方の用紙１，即ちはがきの裏面の上側の部分６をめくり部３からめくって（開いて）いき、一方の用紙１と他方の用紙２，即ちはがきの裏面の部分と表面の部分とを剥がし、分離していく。
はがきの裏面１の上面６は秘匿したい事項、例えば、住所、氏名、年齢、性別、希望商品等を記載するようになっている。
又、はがきの裏面１の下面４は地紋が印刷され、かつシリコンが塗布されており、はがきの表面２の上面５には再接着可能な接着剤が塗布されている。
【００１５】
図３(ａ)は、はがきの裏面の下面を示す図であり、
図３(ｂ)は、はがきの表面の上面を示す図である。
図３(ａ)及び図３(ｂ)は、図２のようにめくり部３からめくってはがきの裏面１とはがきの表面２を分離した状態を示している。
はがきの裏面１の下面４には前記のように地紋が印刷され、かつシリコンが塗布され、はがきの表面２の上面５には再接着可能な接着剤が塗布されている。
地紋は模様、不定型な線、文字等を含む概念であり、地紋に青、紺、緑等の色彩を塗布しても良い。
【００１６】
図４(ａ)は、はがきの裏面の上面を示す図であり、
図４(ｂ)は、はがきの表面の下面を示す図である。
図５は、はがきの裏面を反転させてはがきの裏面の上面をはがきの表面の上面に接着する状態を示す図である。
【００１７】
図２及び図３(ｂ)に示すように、はがきの裏面１の下面４には剥離剤であるシリコンが塗布されているので容易に剥がすことが出来ると同時に図５に示すようにはがきの裏面１の上面６を反転させてはがきの表面２の上面５と接着した場合において、はがきの裏側になってもベトつかず、又地紋が印刷されているので図４（ａ）に示すようにはがきの裏面１の上面６に記載されている秘匿したい事項、例えば、住所、氏名、年齢、性別、希望商品等が透けてみえないようになっている。したがって個人情報を秘匿するのに十分な効果をあげることが出来る。又、図４（ｂ）に示すようにはがきの表面２の下面７は郵便はがきの形式となっており、送付先の住所、名称、担当の係等を記載するようになっている。
【００１８】
又、はがきの裏面１の上面６を反転させてはがきの裏面１の上面６とはがきの表面２の上面５を接着すれば郵便はがきそのものの形状となる。
【００１９】
図６〜図９は本発明の別の実施例を示す図であり、
図６は、別の実施例のはがきを示す図である。
はがきの上の部分８が剥離不能に接着されており、下の部分１２は上、下２枚の用紙からなり上の部分８と、下の部分１２の上の用紙の間には切り込み１１が入っている。上の部分８の上面９は、はがきの宛名を記載するようになっており、送付先の住所、名称、担当の係等が記載され、下の部分１２の上の用紙の上面１３には秘匿したい事項、例えば、住所、氏名、年齢、性別、希望商品等が記載されている。又、上の用紙を下の用紙からめくりやすいようにめくり部１４が設けられている。
【００２０】
図７は、下の部分の上の用紙をめくり部からめくっていく状態を示す図であり、
図８(ａ)は、上の用紙をめくり部からめくった状態の用紙を示す図であり、
図８(ｂ)は、上の用紙をめくり部からめくった下の部分の上の用紙の状態を示す図である。
【００２１】
図７に示すようにめくり部１４から下の部分１２の上の用紙をめくって（開いて）いき図８(ａ)、図８(ｂ)に示すように下の部分１２の上の用紙と下の用紙を切り込み１１に沿って剥がし、分離する。下の部分１２の下の用紙の上面１５には再接着可能な接着剤が塗布され、下の部分１２の上の用紙の下面１０には地紋が印刷され、剥離剤としてシリコンが塗布されている。
【００２２】
図９は、下の部分の上の用紙を反転させて下の部分の下の用紙に接着する状態を示す図である。
下の部分１２の上の用紙を反転させて下面１０を上面とし、下の部分１２の下の用紙の上面１５に下の部分１２の上面１３を下面として接着する。当該下面１０には剥離剤であるシリコンが塗布されているので当該下面１０が上面になってもベトつかず、又、地紋が印刷されているので秘匿したい事項が透けてみえないものである。
【００２３】
下の部分１２の上の用紙を反転させて上の用紙の上面１３を下の用紙の上面１５に接着するので郵便はがきの形状そのものとなる。
【００２４】
なお、秘匿したい情報の記載部分が透けてみえなければ良いので、地紋は用紙の全面に印刷されていなくても、秘匿したい情報が記載されている部分に当る部分にだけ印刷されていても良い。
さらに、本発明におけるはがきの空白の部分は広告等を掲載することが出来るものである。
【図面の簡単な説明】
【００２５】
【図１】はがきの裏面を示す図である。
【図２】はがきの裏面をめくり部からめくっていく状態を示す図である。
【図３ａ】はがきの裏面の下面を示す図である。
【図３ｂ】はがきの表面の上面を示す図である。
【図４ａ】はがきの裏面の上面を示す図である。
【図４ｂ】はがきの表面の下面を示す図である。
【図５】はがきの裏面を反転させてはがきの裏面１の上面をはがきの表面の上面に接着する状態を示す図である。
【図６】別の実施例のはがきを示す図である。
【図７】下の部分の上の用紙のめくり部からめくっていく状態を示す図である。
【図８ａ】上の用紙をめくり部からめくった状態の用紙を示す図である。
【図８ｂ】上の用紙をめくり部からめくった下の部分の上の用紙の状態を示す図である。
【図９】下の部分の上の用紙を反転させて下の部分の下の用紙に接着する状態を示す図である。
【符号の説明】
【００２６】
１        はがきの裏面
２        はがきの表面
３，１４  めくり部
４        はがきの裏面の下面
５        はがきの表面の上面
６        はがきの裏面の上面
７        はがきの表面の下面
８        上の部分
９        上の部分の上面
１０        下の部分の上の用紙の下面
１１        切り込み
１２        下の部分
１３        下の部分の上の用紙の上面
１５        下の部分の下の用紙の上面
【図１】
2006327120.tif 000003
【図２】
2006327120.tif 000004
【図３ａ】
2006327120.tif 000005
【図３ｂ】
2006327120.tif 000006
【図４ａ】
2006327120.tif 000007
【図４ｂ】
2006327120.tif 000008
【図５】
2006327120.tif 000009
【図６】
2006327120.tif 000010
【図７】
2006327120.tif 000011
【図８ａ】
2006327120.tif 000012
【図８ｂ】
2006327120.tif 000013
【図９】
2006327120.tif 000014